(57)【要約】      （修正有）【課題】大型形態のフレームを容易に設置可能であって、かつ、保管性や運搬性、作業性の向上を考慮したタワー型フレームを提供する。【解決手段】屋内外において組立設置される組立式タワー型フレーム１であって、錐型フレーム２と、錐台型フレーム３と、柱型フレームと、錐台型フレーム構成要素５と、柱型フレーム構成要素と、を構成物品とし、これら構成物品のうち少なくとも二種以上の構成物品を組合せて組立結合することで、全体としてタワー型フレームが組立てられる構成とする。【選択図】図２
0003151634.tif 000002
【実用新案登録請求の範囲】
【請求項１】
屋内外において組立設置されるタワー型フレームであって、
複数の縦フレームをその上端を頂点として末広がり状に配置するとともに、該縦フレームの下端同士が環状の下桟フレームにより繋がれることで錐形状に構成された錐型フレームと、
複数の縦フレームをその上端間に所定幅を有しつつ末広がり状に配置し、かつ、該縦フレームの上端同士が環状の上桟フレームにより繋がれているとともに、該縦フレームの下端同士が環状の下桟フレームにより繋がれることで錐台形状に構成された錐台型フレームと、
複数の縦フレームをその上端間に所定幅を有しつつ略直立状に配置し、かつ、該縦フレームの上端同士が環状の上桟フレームにより繋がれているとともに、該縦フレームの下端同士が環状の下桟フレームにより繋がれることで柱状に構成された柱型フレームと、
少なくとも二の縦フレームをその上端間に所定幅を有しつつ末広がり状に配置し、かつ、該縦フレームの上端同士が上桟フレームにより繋がれているとともに、該縦フレームの下端同士が下桟フレームにより繋がれて成る錐台型フレーム構成要素と、
少なくとも二の縦フレームをその上端間に所定幅を有しつつ略直立状に配置し、かつ、該縦フレームの上端同士が上桟フレームにより繋がれているとともに、該縦フレームの下端同士が下桟フレームにより繋がれて成る柱型フレーム構成要素と、
を構成物品とし、
これら構成物品のうち少なくとも二種以上の構成物品を組合せて組立結合することで、全体としてタワー型フレームが組立てられることを特徴とする組立式タワー型フレーム。
【請求項２】
前記組立式タワー型フレームにおいて、錐型フレーム、錐台型フレーム並びに柱型フレームのうち少なくとも一以上の構成物品における縦フレームの所定中間位置同士が、環状の中間桟フレームにより繋がれていることを特徴とする請求項１に記載の組立式タワー型フレーム。
【請求項３】
前記組立式タワー型フレームにおいて、錐台型フレーム構成要素並びに柱型フレーム構成要素のうち少なくとも一以上の構成物品における縦フレームの所定中間位置同士が、中間桟フレームにより繋がれていることを特徴とする請求項１または請求項２に記載の組立式タワー型フレーム。
【考案の詳細な説明】
【技術分野】
【０００１】
本考案は、屋内外において組立設置されるタワー型フレームに関し、詳しくは、屋内外において植生用や装飾灯用などに使用されるタワー型フレームに関するものである。
【背景技術】
【０００２】
従来より、ツル科植物等の植生を活かして装飾を施したり、装飾灯による光のオブジェなどが為されている。その際、種々の形態を表現すべく、タワー型など所定形態に形成された金属によるフレームが用いられ、該フレームに沿って植物のツルが成長したり、装飾灯を配置したりすることが行われている。
【０００３】
【特許文献１】特開２００８−２１５２４８号公報
【特許文献２】特開２００７−２４７５７３号公報
【考案の開示】
【考案が解決しようとする課題】
【０００４】
しかしながら、上記した金属のフレームについて、大きい形態を形成しようとすると、強度の必要性から、自ずとフレーム自体が太くなり、重量が大変に大きくなってしまい、運搬性や現場での作業性が悪いという問題があった。したがって、実際には、比較的小型の形態のみ実施され、大型のものは殆ど見受けられないのが現実である。
【０００５】
そこで本考案は、上記問題点に鑑みてなされたものであって、大型形態のフレームを容易に設置可能であって、かつ、保管性や運搬性、作業性の向上を考慮したタワー型フレームを提供することを課題とするものである。
【課題を解決するための手段】
【０００６】
前記課題を解決するため、本考案は、屋内外において組立設置されるタワー型フレームであって、錐型フレームと、錐台型フレームと、柱型フレームと、錐台型フレーム構成要素と、柱型フレーム構成要素と、から構成され、これらを少なくとも二種以上組合せて組立て結合することで、全体としてタワー型フレームが組立てられる構成となっている。
【０００７】
なお、本考案における錐型フレームは、複数の縦フレームをその上端を頂点として末広がり状に配置するとともに、該縦フレームの下端同士が環状の下桟フレームにより繋がれることで錐形状に構成されたものである。
【０００８】
また、本考案における錐台型フレームは、複数の縦フレームをその上端間に所定幅を有しつつ末広がり状に配置し、かつ、該縦フレームの上端同士が環状の上桟フレームにより繋がれているとともに、該縦フレームの下端同士が環状の下桟フレームにより繋がれることで錐台形状に構成されたものである。
【０００９】
さらに、本考案における柱型フレームは、複数の縦フレームをその上端間に所定幅を有しつつ略直立状に配置し、かつ、該縦フレームの上端同士が環状の上桟フレームにより繋がれているとともに、該縦フレームの下端同士が環状の下桟フレームにより繋がれることで柱状に構成されたものである。
【００１０】
またさらに、本考案における錐台型フレーム構成要素は、少なくとも二の縦フレームをその上端間に所定幅を有しつつ末広がり状に配置し、かつ、該縦フレームの上端同士が上桟フレームにより繋がれているとともに、該縦フレームの下端同士が下桟フレームにより繋がれて成る。
【００１１】
そしてまた、本考案における柱型フレーム構成要素は、少なくとも二の縦フレームをその上端間に所定幅を有しつつ略直立状に配置し、かつ、該縦フレームの上端同士が上桟フレームにより繋がれているとともに、該縦フレームの下端同士が下桟フレームにより繋がれて成る。
【００１２】
また、本考案は、前記組立式タワー型フレームにおいて、錐型フレーム、錐台型フレーム並びに柱型フレームのうち少なくとも一以上の構成物品における縦フレームの所定中間位置同士が、環状の中間桟フレームにより繋がれている構成を採用し得る。
【００１３】
さらに、本考案は、前記組立式タワー型フレームにおいて、錐台型フレーム構成要素並びに柱型フレーム構成要素のうち少なくとも一以上の構成物品における縦フレームの所定中間位置同士が、中間桟フレームにより繋がれている構成を採用することも可能である。
【考案の効果】
【００１４】
本考案にかかる組立式タワー型フレームによれば、大型形態のフレームであっても、組立式であるため小分け可能であって、保管場所の省スペース化を実現するとともに、製造場所から設置場所への運搬性が格段に向上する。
【００１５】
また、本考案にかかる組立式タワー型フレームによれば、全体形態として重量が大きい場合であっても、個々の構成物品の重量は軽量となるため、組立設置・解体における作業性が大変向上するといった優れた効果も発揮する。
【００１６】
さらに、本考案にかかる組立式タワー型フレームによれば、決められた複数種の構成物品を種々組合せることで、完成する形態に多様性を発揮させることも可能となる。
【考案を実施するための最良の形態】
【００１７】
以下、本考案にかかる組立式タワー型フレーム１の実施形態について、図面を参照しながら詳細に説明する。
【００１８】
図１は、本考案にかかる組立式タワー型フレーム１を構成する各構成物品の実施形態を示す斜視図であり、（ａ）は錐型フレーム２、（ｂ）は錐台型フレーム３、（ｃ）は柱型フレーム４、（ｄ）は錐台型フレーム構成要素５、（ｅ）は柱型フレーム構成要素６を示している。
【００１９】
錐型フレーム２は、図１（ａ）に示すように、複数の縦フレーム２１を、その上端２２を頂点として末広がり状に配置するとともに、該縦フレーム２１の下端２３同士が、環状の下桟フレーム２６により繋がれることで、錐形状に構成されている。
【００２０】
錐台型フレーム３は、図１（ｂ）に示すように、複数の縦フレーム３１を、その上端３２間に所定幅を有しつつ末広がり状に配置し、かつ、該縦フレーム３１の上端３２同士が、環状の上桟フレーム３５により繋がれているとともに、該縦フレーム３１の下端３３同士が、環状の下桟フレー３６ムにより繋がれることで、錐台形状に構成されている。
【００２１】
柱型フレーム４は、図１（ｃ）に示すように、複数の縦フレーム４１を、その上端４２間に所定幅を有しつつ略直立状に配置し、かつ、該縦フレーム４１の上端４２同士が、環状の上桟フレーム４５により繋がれているとともに、該縦フレーム４１の下端４３同士が、環状の下桟フレーム４６により繋がれることで、柱状に構成されている。
【００２２】
なお、錐型フレーム２、錐台型フレーム３並びに柱型フレーム４について、縦フレーム２１，３１，４１の所定中間位置同士が、環状の中間桟フレームにより繋がれている構成とすることが考え得る。図面では、図１（ａ）の錐型フレーム２について、該中間桟フレーム２７を設けた構成について示している。
【００２３】
また、錐型フレーム２、錐台型フレーム３並びに柱型フレーム４について、縦フレーム２１，３１，４１の数や上桟フレーム３５，４５、下桟フレーム２６，３６，４６並びに中間フレーム２７の大きさについては、特に限定するものではなく、各構成物品並びに全体の大きさや、強度等を考慮して適宜決定される。
【００２４】
さらに、錐型フレーム２、錐台型フレーム３並びに柱型フレーム４について、上桟フレーム３５，４５、下桟フレーム２６，３６，４６並びに中間桟フレーム２７の具体的な形状について、環状であれば特に限定するものではない。例えば、各縦フレーム２１，３１，４１間を直線的に繋ぐ多角環状とすることもでき、あるいは、各縦フレーム２１，３１，４１間を曲線的に繋ぐことで円形環状とすることも可能である。
【００２５】
同様に、錐型フレーム２、錐台型フレーム３並びに柱型フレーム４について、各縦フレーム２１，３１，４１の具体的形状についても、特に限定するものではない。例えば、上桟フレーム３５，４５並びに下桟フレーム２６，３６，４６間を直線的に繋ぐこともでき、あるいは、曲線的に繋ぐ形状とすることも考えられる。
【００２６】
錐台型フレーム構成要素５は、図１（ｄ）に示すように、少なくとも二の縦フレーム５１を、その上端５２間に所定幅を有しつつ末広がり状に配置し、かつ、該縦フレーム５１の上端５２同士が、上桟フレーム５５により繋がれているとともに、該縦フレーム５１の下端５３同士が、下桟フレーム５６により繋がれて構成されている。なお、図面では、二の縦フレーム５１により構成した場合について示しているが、該二の縦フレーム５１間に、別途縦フレーム５１を一乃至複数設ける構成としてもよい。
【００２７】
かかる錐台型フレーム構成要素５を環状に複数連結することで、錐台型フレームが完成する。
【００２８】
そして、柱型フレーム構成要素６は、図１（ｅ）に示すように、二本の縦フレーム６１を、その上端６２間に所定幅を有しつつ略直立状に配置し、かつ、該縦フレーム６１の上端６２同士が、上桟フレーム６５により繋がれているとともに、該縦フレーム６１の下端６３同士が、環状の下桟フレーム６６により繋がれて構成されている。なお、図面では、二の縦フレーム６１により構成した場合について示しているが、該二の縦フレーム６１間に、別途縦フレーム６１を一乃至複数設ける構成としてもよい。
【００２９】
かかる柱型フレーム構成要素６を環状に複数連結することで、柱型フレームが完成する。
【００３０】
なお、錐台型フレーム構成要素５並びに柱型フレーム構成要素６について、縦フレーム５１，６１の所定中間位置同士が、中間桟フレームにより繋がれている構成とすることが考え得る。
【００３１】
また、錐台型フレーム構成要素５並びに柱型フレーム構成要素６について、縦フレーム５１，６１の数や上桟フレーム５５，６５、下桟フレーム５６，６６並びに中間フレームの大きさについては、特に限定するものではなく、各構成物品並びに全体の大きさや、強度等を考慮して適宜決定される。
【００３２】
さらに、錐台型フレーム構成要素５並びに柱型フレーム構成要素６について、上桟フレーム５５，６５、下桟フレーム５６，６６並びに中間桟フレームの具体的な形状については、特に限定するものではない。例えば、各縦フレーム５１，６１間を直線的に繋ぐこともでき、あるいは、各縦フレーム５１，６１間を曲線的に繋ぐことも可能である。
【００３３】
同様に、錐台型フレーム構成要素５並びに柱型フレーム構成要素６について、各縦フレーム５１，６１の具体的形状についても、特に限定するものではない。例えば、上桟フレーム５５，６５並びに下桟フレーム５６，６６間を直線的に繋ぐこともでき、あるいは、曲線的に繋ぐ形状とすることも考えられる。
【００３４】
以上の通り構成される各構成物品を組合せて組立結合することで、本考案にかかる組立式タワー型フレーム１が完成する。図２並びに図３は、本考案にかかる組立式タワー型フレーム１について、各構成物品を組合せた組立例について示している。
【００３５】
図２は、最下層に錐台型フレーム構成要素５を環状に複数連結し、該錐台型フレーム構成要素５の上に錐台型フレーム３を載置して結合し、該錐台型フレーム３の上に錐型フレーム２を載置して結合することにより、全体として錐型状の組立式タワー型フレーム１が組立てられた場合について示している。
【００３６】
図３は、最下層に柱型フレーム４を設置し、該柱型フレーム４の上に柱型フレーム構成要素６を載置して結合しつつ環状に複数連結し、該柱型フレーム構成要素６の上にさらに柱型フレーム構成要素６を載置して結合しつつ環状に複数連結することにより、全体として柱型状の組立式タワー型フレーム１が組立てられた場合について示している。
【００３７】
図４は、最下層に錐台型フレーム３を設置し、該錐台型フレーム３の上に錐型フレーム２を逆さに載置して結合することにより、全体として上方・下方共に末広がり状の組立式タワー型フレーム１が組立てられた場合について示している。
【００３８】
かかる組立例については、数多くある組立例のごく一例であって、各構成物品を種々組合せたり、あるいは、大きさの異なる構成物品を組合せるなどにより、多種多様の形態を創作することが可能である。
【００３９】
なお、図５並びに図６は、本考案にかかる組立式タワー型フレーム１の使用例を示しており、図５は植物Ｇによる植生用として使用した場合を、図６は灯具Ｌによる装飾用として使用した場合を、それぞれ示している。
【産業上の利用可能性】
【００４０】
本考案にかかる組立式タワー型フレーム１は、自在創作性を有し、設置スペースに合わせて屋内外のあらゆる場所に設置可能で、設置・組立・解体における作業性に優れており、さらには、各構成物品に小分けにされることで、保管性・運搬性に優れた効果を発揮するものであり、装飾用オブジェや広告塔など多くの場面における利用可能性を備えていることから、本考案の産業上の利用可能性は非常に大きいといえる。
【図面の簡単な説明】
【００４１】
【図１】本考案にかかる組立式タワー型フレームの各構成物品を示す斜視図である。
【図２】本考案にかかる組立式タワー型フレームの実施例を示す説明図である。
【図３】本考案にかかる組立式タワー型フレームの実施例を示す説明図である。
【図４】本考案にかかる組立式タワー型フレームの実施例を示す説明図である。
【図５】本考案にかかる組立式タワー型フレームの使用例を示す斜視図である。
【図６】本考案にかかる組立式タワー型フレームの使用例を示す斜視図である。
【符号の説明】
【００４２】
１    組立式タワー型フレーム
２    錐型フレーム
３    錐台型フレーム
４    柱型フレーム
５    錐台型フレーム構成要素
６    柱型フレーム構成要素
２１，３１，４１，５１，６１    縦フレーム
２２，３２，４２，５２，６２    上端
２３，３３，４３，５３，６３    下端
２５，３５，４５，５５，６５    上桟フレーム
２６，３６，４６，５６，６６    下桟フレーム
２７    中間桟フレーム
Ｇ    植物
Ｌ    灯具
【図１】
0003151634.tif 000003
【図２】
0003151634.tif 000004
【図３】
0003151634.tif 000005
【図４】
0003151634.tif 000006
【図５】
0003151634.tif 000007
【図６】
0003151634.tif 000008